(57)【要約】【課題】簡素な構成にして、気体状の有害物質を効率的に除去できるとともに、周辺の環境面に配慮した有害物質除去装置を提供することである。【解決手段】本発明の有害物質除去装置１０は、気体状の有害物質を捕集する液状の捕集剤が貯められる水槽１１と、前記気体状の有害物質を、自身の上部開口部から吸引して、自身の内部に設置された複数のノズルから噴射される前記捕集剤と融合させて、自身の下部開口部を介して前記水槽１１に送り込む、円筒または略円筒形状を有する吸引塔１２と、自身の下部開口部を介して前記水槽１１と通じるとともに、自身の上部開口部を介して排気を行うことができる排気塔１３と、前記水槽１１内の捕集剤を汲み上げるポンプ１４を備え、前記吸引塔１２内には、前記複数のノズルが、それらノズルから噴射される捕集剤が内壁面に沿った流れを作るようにして配置される。【選択図】図１Ａ
2007289793.tif 000002
【特許請求の範囲】
【請求項１】
気体状の有害物質を捕集する液状の捕集剤が貯められる水槽と、
前記気体状の有害物質を、自身の上部開口部から吸引して、自身の内部に設置された複数のノズルから噴射される前記捕集剤と融合させて、自身の下部開口部を介して前記水槽に送り込む、円筒または略円筒形状を有する吸引塔と、
自身の下部開口部を介して前記水槽と通じるとともに、自身の上部開口部を介して排気を行うことができる排気塔と、
前記水槽内の捕集剤を汲み上げるポンプを備え、
前記吸引塔内には、前記複数のノズルが、それらノズルから噴射される捕集剤が内壁面に沿った流れを作るようにして配置されることを特徴とする有害物質除去装置。
【請求項２】
前記複数のノズルは、それらノズルから噴射される捕集剤が内壁面に沿った流れを作るようにして配置されるとともに、それらノズルから捕集剤が死角をなくす、または、死角を略なくすように噴射されることを特徴とする請求項１記載の有害物質除去装置。
【請求項３】
前記複数のノズルは、前記吸引塔の長手方向に設置された複数のパイプの側面に取り付けられるとともに、それらパイプは、前記吸引塔内に設置されることを特徴とする請求項１記載の有害物質除去装置。
【請求項４】
前記複数のノズルは、前記吸引塔の長手方向に設置された複数のパイプから分岐したパイプの先端部に取り付けられるとともに、それら分岐したパイプは、前記吸引塔側面に設けられた穴部を介して前記吸引塔内に挿通されることを特徴とする請求項１記載の有害物質除去装置。
【請求項５】
前記気体状の有害物質は油煙であり、前記捕集剤は、エチレングリコール水溶液であることを特徴とする請求項１記載の有害物質除去装置。
【請求項６】
前記気体状の有害物質はアンモニアまたはトリメチルアミンであり、前記捕集剤は、希硫酸水溶液であることを特徴とする請求項１記載の有害物質除去装置。
【請求項７】
前記気体状の有害物質はメチルメルカプタンであり、前記捕集剤は、水酸化ナトリウム水溶液であることを特徴とする請求項１記載の有害物質除去装置。
【請求項８】
前記気体状の有害物質は揮発性有機溶剤であり、前記捕集剤は、脂肪酸メチルエステルであることを特徴とする請求項１記載の有害物質除去装置。
【請求項９】
前記気体状の有害物質を吸引して前記吸引塔の上部開口部に対して排出する陽圧発生部をさらに備えることを特徴とする請求項１記載の有害物質除去装置。
【請求項１０】
前記排気塔の上部開口部の後段に、前記排気塔の上部開口部を介して排気がなされるように引圧を発生させる引圧発生部をさらに備えることを特徴とする請求項１記載の有害物質除去装置。
【請求項１１】
両端に開口部を備えるとともに、円筒または略円筒形状を有する、内部が空洞である筒ユニットにおいて、
気体状の有害物質を、前記一端の開口部から吸引して、自身の内部に設置された複数のノズルから噴射される捕集剤と融合させて、前記他端の開口部を介して排気し、
前記筒ユニットの内には、前記複数のノズルが、それらノズルから噴射される捕集剤が内壁面に沿った流れを作るようにして配置されることを特徴とする、有害物質との接触促進を行うための筒ユニット。
【請求項１２】
前記複数のノズルは、それらノズルから噴射される捕集剤が内壁面に沿った流れを作るようにして配置されるとともに、それらノズルから捕集剤が死角をなくす、または、死角を略なくすように噴射されることを特徴とする請求項１１記載の筒ユニット。
【請求項１３】
前記複数のノズルは、前記吸引塔の長手方向に設置された複数のパイプの側面に取り付けられるとともに、それらパイプは、前記吸引塔内に設置されることを特徴とする請求項１１記載の筒ユニット。
【請求項１４】
前記複数のノズルは、前記吸引塔の長手方向に設置された複数のパイプから分岐したパイプの先端部に取り付けられるとともに、それら分岐したパイプは、前記吸引塔側面に設けられた穴部を介して前記吸引塔内に挿通されることを特徴とする請求項１１記載の筒ユニット。
【請求項１５】
前記気体状の有害物質は油煙であり、前記捕集剤は、エチレングリコール水溶液であることを特徴とする請求項１１記載の筒ユニット。
【請求項１６】
前記気体状の有害物質はアンモニアまたはトリメチルアミンであり、前記捕集剤は、希硫酸水溶液であることを特徴とする請求項１１記載の筒ユニット。
【請求項１７】
前記気体状の有害物質はメチルメルカプタンであり、前記捕集剤は、水酸化ナトリウム水溶液であることを特徴とする請求項１１記載の筒ユニット。
【請求項１８】
前記気体状の有害物質は揮発性有機溶剤であり、前記捕集剤は、脂肪酸メチルエステルであることを特徴とする請求項１１記載の筒ユニット。
【請求項１９】
前記気体状の有害物質を吸引して前記一端の開口部に対して排出する陽圧発生部をさらに備えることを特徴とする請求項１１記載の筒ユニット。
【請求項２０】
前記他端の開口部を介して排気がなされるように引圧を発生させる引圧発生部を、前記他端の開口部の後段にさらに備えることを特徴とする請求項１１記載の筒ユニット。
【発明の詳細な説明】
【技術分野】
【０００１】
本発明は、工場等から排出される気体状の有害物質を除去する有害物質除去装置に関する。
【背景技術】
【０００２】
工場では、様々な工業製品が製造される。その過程において、油煙が発生することが多い。
例えば、金属を焼入れ時に７００℃〜８００℃の油に入れ、焼き戻す場合には、バーナーでその金属を加熱するときに、その金属に焼入れ時に付着した油（鉱油）により油煙が生じる。また、例えば、テントを製造する際に、塩化ビニールの可塑剤（ＤＯＰ）を液状にして帆布に含浸させて、しごいて乾燥させるが、この乾燥時に、油煙が発生する。くつの生地、床剤、建材等に塩化ビニールを用いる場合にも、その塩化ビニールの乾燥時に油煙が発生する。また、糸の染色時に、糸をなじませるために、糸に油（数種類の鉱油）を塗るが、その油が乾燥時に蒸発して油煙が発生する。また、真空ポンプまたはコンプレッサのシリンダの油（鉱油）から動作時に油煙が発生する。
【０００３】
また、ゴムをロールで練る際に樹脂を混入させることがあるが、その際にも、油煙が発生する。また、焼却炉では、あらゆるものが燃焼されるが、多くのものは、炭素を含んでいる。この炭素（ＣＯ）も広義では、油である。よって、焼却炉からも廃棄物の燃焼時に油煙が発生するということができる。この他、例えば、石炭を燃焼するときも、同様に油煙が発生する。
【０００４】
油煙を始めとする有害物質の多くは気体であり、環境や人体への影響を考えた場合、その排出量は抑えることが望ましい。
このような気体状の有害物質を除去する第１の従来技術として、非特許文献１等に開示される、燃焼方式が知られている。この方式では、ブタンガスを使用して油煙を再燃焼して除去している。
【０００５】
しかし、ボイラー等の設備コスト、燃料のブタンガスのコスト等がかかり安価には実現できない。さらに、油煙の除去処理の結果、二酸化炭素（ＣＯ２）が排出されるという欠点を有する。
【０００６】
一方、第２の従来技術として、電気式集塵機がある。この技術では、油煙を電極に付着させることで、油煙に含まれる油を流れ出すようにしている。しかし、火災事故が頻繁に発生し、安全性の面から問題がある。
【非特許文献１】「実例にみる脱臭技術」檜山和成著、工業調査会、５５ページ、１９９９年１０月、初版発行
【発明の開示】
【発明が解決しようとする課題】
【０００７】
本発明の課題は、簡素な構成にして、気体状の有害物質を効率的に除去できるとともに、周辺の環境面に配慮した有害物質除去装置、および、有害物質との接触促進を行うための筒ユニットを提供することである。
【課題を解決するための手段】
【０００８】
本発明の第１態様の有害物質除去装置は、気体状の有害物質を捕集する液状の捕集剤が貯められる水槽と、前記気体状の有害物質を、自身の上部開口部から吸引して、自身の内部に設置された複数のノズルから噴射される前記捕集剤と融合させて、自身の下部開口部を介して前記水槽に送り込む、円筒または略円筒形状を有する吸引塔と、自身の下部開口部を介して前記水槽と通じるとともに、自身の上部開口部を介して排気を行うことができる排気塔と、前記水槽内の捕集剤を汲み上げるポンプを備え、前記吸引塔内には、前記複数のノズルが、それらノズルから噴射される捕集剤が内壁面に沿った流れを作るようにして配置されることを特徴とする有害物質除去装置である。
【０００９】
ここで、油煙等のある種の気体状の有害物質に対しては、複数のノズルを、それらノズルから噴射される捕集剤が吸引塔の内壁面に沿った流れを作るようにして配置することで、捕集剤とその気体状の有害物質の融合が促進される、という本願の発明者によって、見出された実験結果により、簡素な構成にして、気体状の有害物質を効率的に除去できる。また、油煙等の気体状の有害物質を捕集剤と融合して液化する過程で、燃焼を伴わないため二酸化炭素等が排出されない（または問題にならない程度の微量しか排出されない）。よって、周辺の環境面を配慮して、気体状の有害物質を除去できる。また、吸引塔は、円筒または略円筒形状を有するので、それ以外の形状を有する場合と比較し、複数のノズルから噴射される捕集剤の死角を可能な限りなくしてそれらノズルを吸引塔内に配置することができ、気体状の有害物質の除去効果を一層高めることができる。
【００１０】
第１態様において、複数のノズルは、それらノズルから噴射される捕集剤が内壁面に沿った流れを作るようにして配置されるとともに、それらノズルから捕集剤が死角をなくす、または、死角を略なくすように噴射されるようにしてもよい。
【００１１】
このようにすることで、気体状の有害物質を効率的に除去できることが、本願の発明者が実験により見出した。
また、第１態様において、複数のノズルは、その吸引塔の長手方向に設置された複数のパイプの側面に取り付けられるとともに、それらパイプは、その吸引塔内に設置されるようにしてもよい。
【００１２】
このようにすれば、例えば、複数のノズルを、その吸引塔の長手方向に設置された複数のパイプから分岐したパイプの先端部に取り付けるとともに、それら分岐したパイプを、その吸引塔側面に設けられた穴部を介して吸引塔内に挿通させる場合と比較し、吸引塔への穴開け作業の負担が減り、一層簡単に有害物質除去装置を製造できる。
【００１３】
本発明の第２態様の筒ユニットは、両端に開口部を備えるとともに、円筒または略円筒形状を有する、内部が空洞である筒ユニットにおいて、気体状の有害物質を、前記一端の開口部から吸引して、自身の内部に設置された複数のノズルから噴射される捕集剤と融合させて、前記他端の開口部を介して排気し、前記筒ユニットの内には、前記複数のノズルが、それらノズルから噴射される捕集剤が内壁面に沿った流れを作るようにして配置されることを特徴とする、有害物質との接触促進を行うための筒ユニットである。
【発明の効果】
【００１４】
本発明によれば、簡素な構成にして、気体状の有害物質を効率的に除去できる。また、その除去時に燃焼を伴わないため二酸化炭素等が排出されない（または問題にならない程度の微量しか排出されない）。よって、周辺の環境面を配慮して、気体状の有害物質を除去できる。
【発明を実施するための最良の形態】
【００１５】
以下、本発明の実施の形態を、図面を参照しながら詳細に説明する。
図１Ａおよび図１Ｂは、本発明の第１実施形態の有害物質除去装置の正面図および背面図である。
【００１６】
図１Ａにおいて、有害物質除去装置１０は、気体状の有害物質を捕集する液状の捕集剤が貯められる水槽１１、気体状の有害物質を、自身の上部開口部から吸引し、自身の内部に設置された複数のノズルから噴射される捕集剤と融合させて、自身の下部開口部を介して水槽１１に送り込む、円筒または略円筒形状を有する吸引塔１２、自身の下部開口部を介して水槽１１と通じるとともに、自身の上部開口部を介して排気を行う排気塔１３、水槽１１内の捕集剤を汲み上げるポンプ１４、を備える。なお、吸引塔１２は、有害物質と捕集剤との接触促進を行うための塔ユニット（筒ユニット）ということができる。
【００１７】
図１Ａが装置正面図であるのに対し、図１Ｂは背面図である。図１Ｂに示されるように、水槽１１のほぼ底部の穴部１８、パイプ１９を介して、水槽１１内の捕集剤は、ポンプ１４に送られて、そのポンプ１４によって吸引塔１２内の各ノズルの位置まで汲み上げられる。
【００１８】
図２は、吸引塔の長手方向に設置されたパイプの様子を説明する図である。図１のパイプ１５は、図２に示すように、吸引塔１２内で４本のパイプに分岐している。これら４本のパイプは、図に示すように、吸引塔１２の長手方向に平行に設置されている。そして、吸引塔１２の上端から距離Ｘだけ下がった位置Ｐ１、その位置Ｐ１からさらに距離Ｙだけ下がった位置Ｐ２、その位置Ｐ２からさらに距離Ｙだけ下がった位置Ｐ３、等の位置において、それぞれのパイプ１５にノズルが取り付けられている。なお、ノズルから所定の角度で液体（捕集剤）は噴射されるが、その捕集剤が、吸引塔１２の上端から飛び出さないように、上端から見てノズルを最初に設置する場所は、その上端から距離Ｘだけ離されている。
【００１９】
このようにして、ポンプ１４から汲み上げられた捕集剤は、パイプ１５、吸引塔１２内部でパイプ１５の側面に取り付けられた各ノズルを介して吸引塔１２内部に噴射される。これにより、気体状の有害物質と捕集剤が吸引塔１２において接触して融合する。なお、ノズルは、先端部に細い穴があり、その細い穴から捕集剤が噴射される。
【００２０】
図３は、図２のいずれかのノズルの設置位置における上から見た断面図である。
図３に示すように、それぞれのノズル１６は、それらノズル１６から噴射される捕集剤が内壁面に沿った右または左向きの流れ（図では、左向きの流れ）を作るようにして、それぞれのパイプ１５から露出されている。噴射される捕集剤を内壁面に沿って右向きとするか左向きとするかは、吸引塔１２の設置位置毎に決められる。例えば、すべての設置位置で右向きの流れが生じるようにしてもよいし、左向きの流れが生じるようにしてもよい。また、交互に流れの向きを変える等できる。
【００２１】
本願の発明者は、ノズルの配置を変更して実験を行ったが、油煙等のある種の（気体状の）有害物質に対しては、それぞれのノズルから噴射される捕集剤が吸引塔の内壁面に沿った右または左向きの流れを作るように、それぞれのノズルを配置した場合が、最もよく気体状の有害物質を除去する場合の１つであることが判明した。
【００２２】
内壁面に沿って回転させることにより、気体状の有害物質が捕集剤と接触する時間を稼ぐことができる、ということがその理由として考えられる。
また、各ノズル１６から噴射される捕集剤が死角をなるべくなくすようにすることで、気体状の有害物質の除去効果が一層上がることが、実験を通して、本願の発明者によって発見された。
【００２３】
すなわち、それぞれのノズル１６にかかる圧力に応じて、それらノズル１６から噴射される捕集剤の角度が決まるが、それぞれのノズル１６を図４Ａに示すような向きでそれぞれのパイプ１５に設置した場合には、図４Ａの斜線Ａ部分が、捕集剤が噴射されない死角となるとともに、斜線Ｂ部分が、捕集剤と気体状の有害物質との融合の度合いが弱い部分となる。
【００２４】
これに対して、それぞれのノズル１６を図４Ｂに示すような向きでそれぞれのパイプ１５に設置した場合には、捕集剤が噴射されない死角がなくなるので、捕集剤と気体状の有害物質との融合が一層促進される。なお、図４Ｂにおいても、捕集剤と気体状の有害物質との融合の度合いが弱い部分（図４Ｂの斜線部Ａ）は依然として残っている。
【００２５】
なお、図２、図３、図４Ａ、図４Ｂでは、４本のパイプ１５が吸引塔１２内に設置される場合を例にとって説明したが、吸引塔１２内に設置されるパイプ数はそれ以外の数（６本、８本、等）であってもよい。例えば、図５は、６本のパイプを吸引塔１２に設置した場合の上から見た断面図である。
【００２６】
なお、本発明の有害物質除去装置が対象とする有害物質の１つに、油煙がある。油煙は上述したような過程で発生するものである。この油煙に対しては、エチレングリコールの水溶液を捕集剤として使用する。この水溶液の濃度は、油煙の濃度にもよるので、一概には言えない。しかし、例えば、５％溶液または略５％溶液であれば、発生するものと想定される殆どの油煙に対して、十分な除去効果が発揮できた。
【００２７】
図６は、吸引塔を図１Ａの矢印Ｘ方向から見た図である。
図６に示すように、水槽１１の所定の高さ位置には、横穴１７が設けられている。例えば、捕集剤がオーバーフローした場合は、この横穴１７からそのオーバーフロー分が流れ出す。
【００２８】
続いて、有害物質除去装置１０の動作を説明する。
有害物質除去装置１０の運転時には、吸引塔１２内で、ノズル１６から噴射された捕集剤が吸引塔１２の上部開口部から流入する気体状の有害物質と融合することで、その気体状の有害物質（油煙）が液化した油が、水槽１１内のエチレングリコール５％溶液に混入する。また、水槽１１内のエチレングリコール５％溶液（油煙に対する捕集剤）は、絶えず、ポンプ１４によって吸い上げられているため、その水槽１１内では、エチレングリコール５％溶液と、油煙が液化した油とが混ざり合った状態にある。よって、ノズル１６から噴射される捕集剤中には、正確には、油煙が液化した油も混入している。
【００２９】
有害物質除去装置１０の運転が終了すると、油煙が液化した油の層が、エチレングリコール５％溶液の上に形成される。水槽１１に水を入れることで、その入れた水の分だけ、上層に形成された油が横穴１７を介して排出される。
【００３０】
なお、有害物質除去装置１０自体は、引圧（負圧）や陽圧を発生させる機構を備えていないので、前段に陽圧発生部を追加するか、または、後段に引圧発生部を追加するかして使用する。
【００３１】
図７Ａは、ブロワーの構成を示す図である。
図７Ａに示すように、ブロワー３０は、モーター３１、モーター３１と連結され、筺体３２で保護されたファン（不図示）、入口開口３３、出口開口３４、を備える。
【００３２】
ブロワー３０は、モーター３１が回転することで、ファンが回転して、入口開口３３から気体を吸引して出口開口３４から排出するように動作する。
よって、図７Ｂに示すように、ブロワー３０の入口開口３３を有害物質除去装置１０の排気塔１３の上部開口部と連結すれば、有害物質除去装置１０内に引圧を発生させることができるし、また、ブロワー３０の出口開口３４を有害物質除去装置１０の吸引塔１２の上部開口部と連結すれば、有害物質除去装置１０内に陽圧を発生させることができる。このように、ブロワー３０を、陽圧発生部または引圧発生部として使用することが可能である。
【００３３】
なお、ブロワー以外の方法で陽圧または引圧を発生させてもかまわないことは言うまでもない。
図８Ａおよび図８Ｂは、本発明の第２実施形態の有害物質除去装置の正面図および背面図である。
【００３４】
図８Ａにおいて、有害物質除去装置４０は、気体状の有害物質を捕集する液状の捕集剤が貯められる水槽１１、自身の上部開口部から吸引された気体状の有害物質を、自身の内壁から露出した複数のノズル４６から噴射される捕集剤と融合させて、自身の下部開口部を介して水槽１１に送り込む、円筒または略円筒形状を有する吸引塔４２、自身の下部開口部を介して水槽１１と通じるとともに、自身の上部開口部を介して排気を行う排気塔１３、水槽１１内の捕集剤を汲み上げるポンプ１４、を備える。なお、吸引塔４２は、有害物質と捕集剤との接触促進を行うための塔ユニット（筒ユニット）ということができる。
【００３５】
図８Ａが装置正面図であったのに対し、図８Ｂは背面図である。図８Ｂに示されるように、水槽１１のほぼ底部の穴部１８、パイプ１９を介して、水槽１１内の捕集剤は、ポンプ１４に送られて、そのポンプ１４によって各ノズル４６の位置まで汲み上げられる。
【００３６】
すなわち、ポンプ１４から汲み上げられた捕集剤は、パイプ４５、そのパイプ４５から分岐したさらに細いパイプ４６、分岐したパイプ４６の先端部に取り付けられた各ノズルを介して吸引塔４２内部に噴射される。これにより、気体状の有害物質と捕集剤が吸引塔４２において接触して融合する。なお、ノズルは、先端部に細い穴があり、その細い穴から捕集剤が噴射される。
【００３７】
図９は、吸引塔におけるノズルの配置を説明する図である。
吸引塔４２の内壁面には、吸引塔４２の上下方向に所定量下がると、現在のノズル位置から所定の角度（図では、６０度）だけ回転した位置に次のノズルが配置されている。
【００３８】
図１０は、吸引塔を上から見た図である。この図では、吸引塔４２の上下方向に所定量下がると、現在のノズル位置から９０度だけ回転した位置に次のノズルが配置されている。
【００３９】
図１０に示されるように、吸引塔４２の内壁から垂直に露出したパイプ４６の先端部分にノズル４７が、所定の向き（右側または左側）に、所定量（例えば、４５度）だけ傾いた角度で取り付けられている。これにより、各ノズル４７から噴射される捕集剤が内壁面に沿った流れを作ることができる。
【００４０】
図１１は、吸引塔を図８Ａの矢印Ｘ方向から見た図である。
図１１に示すように、水槽１１の所定の高さ位置には、横穴１７が設けられている。例えば、捕集剤がオーバーフローした場合は、この横穴１７からそのオーバーフロー分が流れ出す。
【００４１】
第２実施形態においても、第１実施形態同様、それぞれのノズルから噴射される捕集剤が吸引塔の内壁面に沿った右または左向きの流れを作るように、それぞれのノズルを配置した場合が、最もよく気体状の有害物質を除去する場合の１つであり、各ノズルから噴射される捕集剤が死角をなるべくなくすようにすることで、気体状の有害物質の除去効果が一層上がることが、実験を通して、本願の発明者によって発見された。
【００４２】
なお、第２実施形態では、パイプ１５を吸引塔の外部に設け、ノズルを設置するそれぞれの位置で、パイプ１５から分岐したパイプ１６が、吸引塔に開けられた穴部を挿通して、吸引塔内部に達する構成であるため、第１実施形態と比較して、吸引塔に対する穴開け作業が手間である。すなわち、第１実施形態のように、パイプ１５を吸引塔の内側に設けた方が一層簡単に有害物質除去装置を製造することができる。
【００４３】
また、以上の説明では、パイプ１５を吸引塔内部に設ける構成では、吸引塔の同じ高さ位置に複数のノズルを設置し、パイプ１５を吸引塔の外部に設ける構成では、ノズルを仮想的な螺旋状に配置した。しかし、ノズルの配置は、パイプ１５が吸引塔の内か外かに関係なく決めることができる。例えば、パイプ１５を吸引塔内部に設ける構成でも、ノズルを仮想的な螺旋上に配置してもよいし、また、パイプ１５を吸引塔の外部に設ける構成でも、吸引塔の同じ高さ位置に複数のノズルを設置してもよい。
【００４４】
また、気体状の有害物質として油煙を例にとって、各実施形態の説明を行った。しかし、他の（気体状の）有害物質についても、本実施形態の有害物質除去装置を用いることができる。例えば、次のような有害物質である。
１．アンモニアまたはトリメチルアミン・・・希硫酸の水溶液が捕集剤に使用される。何％の溶液にするかは、除去しようとするアンモニアまたはトリメチルアミンの濃度による。通常は、１％未満の溶液を用いる。
２．メチルメルカプタン・・・水酸化ナトリウムの水溶液が捕集剤に使用される。何％の溶液にするかは、メチルメルカプタンの濃度による。例えば、１ｐｐｍ程度のメチルメルカプタンに対しては、０．１％程度の溶液で十分に除去できた。
３．揮発性有機溶剤（ＶＯＣ）（酢酸メチル、メチルイソブチルケトン、トルエン、スチレン、キシレン、等）・・・脂肪酸メチルエステルが捕集剤に使用される。揮発性有機溶剤は、油煙等と比較して、１台の有害物質除去装置による１回の処理で、除去される気体状の有害物質の割合が低い。このため、有害物質除去装置を複数台連結して使用することが望ましい。
【００４５】
例えば、図１２では、１台目の有害物質除去装置１０1の排気塔１３1を、２台目の有害物質除去装置１０2の吸引塔１２2に連結し、２台目の有害物質除去装置１０2の排気塔１３2を、３台目の有害物質除去装置１０3の吸引塔１２3に連結し、３台目の有害物質除去装置１０3の排気塔１３3を、４台目の有害物質除去装置１０4の吸引塔１２4に連結して使用している。
【００４６】
図１２の構成において、１台目の有害物質除去装置１０1の吸引塔１２1の前段に陽圧を発生させるか、４台目の有害物質除去装置１０4の排気塔１３4の後段に引圧を発生させるかすることで、１台目の有害物質除去装置１０1の吸引塔１２1から４台目の有害物質除去装置１０4の排気塔１３4に向かう気体の流れを発生させて揮発性有機溶剤に対する除去を行うことができる。
【図面の簡単な説明】
【００４７】
【図１Ａ】本発明の第１実施形態の有害物質除去装置の正面図である。
【図１Ｂ】本発明の第１実施形態の有害物質除去装置の背面図である。
【図２】第１実施形態の吸引塔の長手方向に設置されたパイプの様子を説明する図である。
【図３】図２のいずれかのノズルの設置位置における上から見た断面図である。
【図４Ａ】４本のパイプを吸引塔に設置した場合のノズルの配置例（その１）を示す断面図である。
【図４Ｂ】４本のパイプを吸引塔に設置した場合のノズルの配置例（その２）を示す断面図である。
【図５】６本のパイプを吸引塔に設置した場合のノズルの配置例を示す断面図である。
【図６】吸引塔を図１Ａの矢印Ｘ方向から見た図である。
【図７Ａ】ブロワーの構成を示す図である。
【図７Ｂ】ブロワーの使用法を説明する図である。
【図８Ａ】本発明の第２実施形態の有害物質除去装置の正面図である。
【図８Ｂ】本発明の第２実施形態の有害物質除去装置の背面図である。
【図９】第２実施形態の吸引塔におけるノズルの配置を説明する図である。
【図１０】第２実施形態の吸引塔を上から見た図である。
【図１１】吸引塔を図８Ａの矢印Ｘ方向から見た図である。
【図１２】揮発性有機溶剤を除去する場合の、有害物質除去装置の使用方法を説明する図である。
【符号の説明】
【００４８】
１０、４０  有害物質除去装置
１１  水槽
１２、４２  吸引塔
１３  排気塔
１４  ポンプ
１５、１９、４５、４６  パイプ
１６、４７  ノズル
１７  横穴
２１  捕集剤
３０  ブロワー
３１  モーター
３３  入口開口
３４  出口開口
【図１Ａ】
2007289793.tif 000003
【図１Ｂ】
2007289793.tif 000004
【図２】
2007289793.tif 000005
【図３】
2007289793.tif 000006
【図４Ａ】
2007289793.tif 000007
【図４Ｂ】
2007289793.tif 000008
【図５】
2007289793.tif 000009
【図６】
2007289793.tif 000010
【図７Ａ】
2007289793.tif 000011
【図７Ｂ】
2007289793.tif 000012
【図８Ａ】
2007289793.tif 000013
【図８Ｂ】
2007289793.tif 000014
【図９】
2007289793.tif 000015
【図１０】
2007289793.tif 000016
【図１１】
2007289793.tif 000017
【図１２】
2007289793.tif 000018